(57)【要約】【課題】本発明は結露した水滴を集めて外部へ自然排出させ、処理槽本体６の内部温度の変化を少なく且つ発酵効果を向上させ、且つ投入口１１を地面より上部に出して生ごみ８の投入が楽に行え、更に設置場所を選ばず何処にでも生ごみ処理槽の設置が可能となる生ごみ処理槽用蓋部材を提供することを目的とする。【解決手段】生ごみ処理槽の蓋部材が、処理槽本体６の上端部を被覆する立体的な蓋本体１であり、該蓋本体１の内部には薄板の集水覆２を設けると共にその下部と連結させて水抜きパイプ３を設ける構造とする。また蓋本体１の上部から下部に渡って凸状に湾曲して集水覆２を取付けると共に蓋本体１と集水覆２の隙間に保温材４を取付けたり、地熱取込管７を蓋本体１に連通して配管したりすると良い。【選択図】        図１
2004351284.tif 000002
【特許請求の範囲】
【請求項１】
上下端部を開口すると共に周壁に生ごみ（８）の水分排出用の貫通穴（６１）を多数有した生ごみ用の処理槽本体（６）と、生ごみの投入口（１１）を有し且つ前記処理槽本体（６）の上端部を被覆する蓋部材とを備えた生ごみ処理槽に於いて、前記蓋部材が少なくとも、前記処理槽本体（６）の上端部を被覆する立体的な蓋本体（１）であり、該蓋本体（１）の内部には、前記蓋本体（１）の内壁に結露する水滴が集められるための集水覆（２）を設けると共にその集水覆（２）によって集められた水を前記蓋本体（１）の外部に排出するための水抜きパイプ（３）が設けられたことを特徴とする生ごみ処理槽用蓋部材。
【請求項２】
前記蓋本体（１）が中央で２分割され、前記集水覆（２）が薄板で且つその下端には折曲部（２１）を形成させ、且つ前記水抜きパイプ（３）の上部には長穴溝（３１）を穿設し、該長穴溝（３１）に前記折曲部（２１）を挿入して前記水抜きパイプ（３）が前記集水覆（２）と連結された請求項１記載の生ごみ処理槽用蓋部材。
【請求項３】
前記集水覆（２）が薄板であり、且つそれが水滴を集め易くするために前記蓋本体（１）の上部から下部に渡って湾曲して取付けられると共に前記蓋本体（１）と前記集水覆（２）との隙間に保温材（４）が取付けられた請求項１記載の生ごみ処理槽用蓋部材。
【請求項４】
地熱を前記蓋本体（１）の内部に導入するための地熱取込管（７）が、前記蓋本体（１）と地中との間に配管した請求項１記載の生ごみ処理槽用蓋部材。
【発明の詳細な説明】
【０００１】
【発明の属する技術分野】
本発明は地中に埋設する処理槽本体の内部に生ごみを投入し、地中の微生物等の作用により生ごみを土壌に還元するための生ごみ処理槽に使用する生ごみ処理槽用蓋部材に関する。
【０００２】
【従来の技術】
運搬や組立てが簡単で大きな生ごみ処理槽の形成を極めて容易にさせたものとしては、図３に示す実用新案登録第２００９７２５号「生ごみ処理槽」などがある。この蓋部材は、周壁に生ごみ（８）の水分排出用の貫通穴（６１）を多数有した生ごみ用の処理槽本体（６）の上端部を被覆する平らな板材（１’）と、その板材（１’）の中央に載せる把手付き投入蓋（５）とから成したものである。
【０００３】
【発明が解決しようとする課題】
しかしながら前記蓋部材が取付けられた生ごみ処理槽の処理槽本体（６）を地中に埋設させておき、その内部に生ごみ（８）を投入すると、地中の微生物等の作用により生ごみ（８）が土壌に還元される際、発酵熱が発生し、生ごみ（８）の水分が蒸発して平らな板材（１’）の内面に結露する。結露して水滴が大きくなると、図中の矢印のように処理槽本体（６）の内部へ直接落下するため、生ごみ（８）が冷されて発酵効果を損ねていた。特に寒冷地の冬場においては、結露し水滴が大きくなり、処理槽本体（６）の内部にその水滴が落下すると、内部温度が下がってしまうため、発酵効果を極度に低下させてしまう恐れがあった。また前記結露した水滴が凍って把手付き投入蓋（５）を開くことが出来なくなる恐れがあった。このため、水滴が凍りにくい場所を探してから生ごみ処理槽を設置しなければならなかった。しかも生ごみ処理槽を設置する際は、発酵が低下しないように露出部分を少なくさせる必要があるため、設置用穴を深く且つ正確に掘らなければならず、工事が大変であると共に投入蓋（５）の開口部が一般に地面と略面一に設けられているため、生ごみ（８）の投入がしにくいものである等の問題点があった。
【０００４】
本発明は結露した水滴を集めて外部へ自然排出させ、処理槽本体の内部の温度変化を少なく且つ発酵効果を向上させると共に設置穴の深さを正確に掘らなくても良くなるため工事が楽になり、且つ投入口を地面より上部に出して生ごみの投入が楽に行える生ごみ処理槽用蓋部材を提供することを目的とする。
【０００５】
本発明の他の目的は、寒冷地でも結露した水滴が凍りにくく且つ処理槽の内部へ地熱を導入させて内部温度を上げ、発酵効果を維持可能にさせると共に設置場所を選ばず何処にでも生ごみ処理槽の設置が可能となる生ごみ処理槽用蓋部材を提供するにある。
【０００６】
【課題を解決するための手段】
本発明は上記問題点を解消するために成されたものであり、つまり、生ごみ処理槽の蓋部材が少なくとも、処理槽本体の上端部を被覆する立体的な蓋本体であり、該蓋本体の内部には、蓋本体の内壁に結露する水滴が集められるための集水覆を設けると共にその集水覆によって集められた水を蓋本体の外部に排出するための水抜きパイプが設けられる構造とする。また蓋本体が中央で２分割され、集水覆が薄板で且つその下端には折曲部を形成させ、且つ水抜きパイプの上部には長穴溝を穿設し、該長穴溝に折曲部を挿入して水抜きパイプが集水覆と連結されるようにすることが好ましく、又、集水覆が水滴を集め易くするために蓋本体の上部から下部に渡って湾曲して取付けられると共に蓋本体と集水覆との隙間に保温材が取付けられたり、地熱を蓋本体の内部に導入するための地熱取込管が、蓋本体と地中との間に配管したりするものとしても良い。尚、本発明で言う「立体的な蓋本体」とは、上方に突出する中空部が設けられた形状のものを指す。
【０００７】
【発明の実施の形態】
図１、図２は本発明の実施形態を示す図であり、これに基づいて説明する。（１）は後述する生ごみ用の処理槽本体（６）の上端部を被覆する立体的な蓋本体であり、該蓋本体（１）は中央で２分割され、ＦＲＰなどの合成樹脂で成形されている。また蓋本体（１）には生ごみ（８）の投入口（１１）を有し、前記処理槽本体（６）の上端部を被覆する覆蓋部（１ａ）と、その中央に中空部を上方に設けた立体的な蓋部（１ｂ）と、前記覆蓋部（１ａ）の周囲に設けると共に前記処理槽本体（６）の上縁面に取付ける鍔部（１ｃ）とから形成されている。前記蓋部（１ｂ）の側面には後述する水抜きパイプ（３）の一端を挿入する穴（１２）と、その他端を支持する図示しない支持部とがあり、前記水抜きパイプ（３）がセットされると、穴（１２）側の水抜きパイプ（３）の一端が若干低くなるよう支持され、集められた水が穴（１２）側から外部へ自然排出されるように成されている。更に前記蓋部（１ｂ）の投入口（１１）周囲には後述する集水覆（２）の先端側が支持されるための図示しない支持部材などが設けられている。尚、前記蓋本体（１）は、半分に形成された図２に示すものを２つ用意して取付ければ良い。
【０００８】
（２）は蓋本体（１）の内壁に結露する水滴が集められるために設けた集水覆であり、該集水覆（２）は弾力性を有した合成樹脂製などの薄板で且つその下端には折曲部（２１）が形成されており、水滴を集め易くするために蓋本体（１）の上部から下部に渡って凸状に湾曲して取付けられる。また前記集水覆（２）の先端部中央には、投入口（１１）より若干大きめな穴に形成させるための切欠部（２２）が設けられており、図２に示すように同じものを２つ用意すれば良い。（３）は集水覆（２）によって集められた水を蓋本体（１）の外部に排出するために設けた塩化ビニール管などの水抜きパイプであり、該水抜きパイプ（３）の上部には集水覆（２）の折曲部（２１）全体が挿入可能な長穴溝（３１）を穿設している。この長穴溝（３１）に折曲部（２１）を挿入することにより、水抜きパイプ（３）は集水覆（２）と連結されるのである。
【０００９】
（４）は集水覆（２）が蓋本体（１）の上部から下部に渡って凸状に湾曲して取付けられた時に形成する隙間に取付ける保温材であり、該保温材（４）としては発泡スチロールなどを用いると良い。また前記保温材（４）には図２に示すように半分に成形したものを２つ用意すると共にその上部中央には、投入口（１１）より若干大きめな穴に形成させるための切欠部（４１）が設けられており、且つ側面には水抜きパイプ（３）が挿入されるための挿入穴（４２）が穿設されている。尚、前記保温材（４）は必ずしも取付ける必要はない。（５）は蓋本体（１）の蓋部（１ｂ）中央に設けた把手付き投入蓋であり、該投入蓋（５）は結露した水滴が集水覆（２）に流れ込むように傾斜を設けているものを使用する。（６）は処理槽本体であり、この処理槽本体（６）は図３に示す従来品と同じものを使用すれば良い。（７）は図１に示す２点鎖線のように配管する塩化ビニール管などの地熱取込管であり、該地熱取込管（７）は蓋本体（１）の内部と地中との間が連通されるように配管し、地熱を蓋本体（１）の内部に導入させる役目を果たす。
【００１０】
次に本発明品を設置させる場合について説明する。予め設置場所に於いて穴を従来よりも浅めに掘り、そこへ処理槽本体（６）を組立てておく。先ず始めに２分割した蓋本体（１）を逆さにして２つを合せる。そして水抜きパイプ（３）を各穴（１２）から挿入して仮セットしておく。次に保温材（４）を投入口（１１）に合せてその両側から取付け、その上から集水覆（２）を載せ、先端側の切欠部（２２）を投入口（１１）に合せてその両側から図示しない支持部材に差込んで取付けると共に他端側の折曲部（２１）を水抜きパイプ（３）の長穴溝（３１）に挿入させる。この時、長穴溝（３１）を内側に向けてから折曲部（２１）を挿入すると作業がし易くなり、挿入後、長穴溝（３１）を下方に向け直して水抜きパイプ（３）のセットを終える。尚、他の方法で本発明を組立てる場合としては、半分の蓋本体（１）を逆さにした状態で、集水覆（２），水抜きパイプ（３），保温材（４）をそれぞれ取付け、その後、合体させて一体化しても良い。本発明が組立てられた後、反転させる。そして処理槽本体（６）の上縁に蓋本体（１）の鍔部（１ｃ）を合せて被覆させる。被覆後、予め用意した把手付き投入蓋（５）を蓋本体（１）の投入口（１１）の上に載せて取付ければ、本発明の設置が完了するのである。この時、投入口（１１）が図１に示すように地面よりもかなり高い位置に配置される。尚、本発明品を寒冷地に設置する場合には、図１の２点鎖線に示すように蓋本体（１）と地面との間に地熱取込管（７）を配管させておくと良い。
【００１１】
次に本発明の作用効果について説明する。予め生ごみ（８）を投入口（１１）から投入しておくと、生ごみ（８）は地熱や地中の微生物等の作用によって従来通りに発酵される。又、その発酵熱によって生ごみ（８）の水分が蒸発される。蒸発した水分は上昇して蓋本体（１）の投入口（１１）の付近に集る。すると前記水分は集水覆（２）に結露し、結露した水滴が徐々に大きくなる。ある程度大きくなると、図１の図中に示す矢印のように水滴は、集水覆（２）の上方から下方に沿って流れ出す。そして下部に設けた折曲部（２１）に水滴が集められ、更に水抜きパイプ（３）の内部に水が溜まると共に穴（１２）側の水抜きパイプ（３）の端部から自然に外部へ水が流れ出るのである。このため、結露した水滴は処理槽本体（６）の内部へ落下することがなくなり、従来の如き結露した水滴による内部温度の低下は、防止出来るものとなった。また蓋本体（１）の内部に保温材（４）を取付けたり、地熱取込管（７）を蓋本体（１）と連通させておくことにより、処理槽本体（６）の内部温度が発酵し易い温度に維持可能となり、生ごみ（８）の発酵効果を向上させることが出来るものとなる。しかも寒冷地に生ごみ処理槽を設置する際は、設置場所を探さなくても、内部温度が高く維持出来ることにより、結露した水滴が凍る心配がなくなるため、何処にでも設置可能となる。更に処理槽本体（６）を多少露出させても生ごみ（８）の発酵効果が極度に低下する恐れがないので、従来の如き設置用穴を正確に掘り、投入蓋（５）の開口部が地面と面一になるようにする必要がなくなり、設置用穴を正確に掘らなくても良いものとなった。
【００１２】
【発明の効果】
本発明はこのようにさせたことにより、下記に記載する効果を有する。
【００１３】
請求項１のように生ごみ処理槽の蓋部材が少なくとも、処理槽本体（６）の上端部を被覆する立体的な蓋本体（１）であり、該蓋本体（１）の内部には集水覆（２）を設けると共に水抜きパイプ（３）を設けることにより、蓋部材に結露した水滴は集水覆（２）によって集められ、その水を水抜きパイプ（３）によって蓋本体（１）の外部へ自然排出できるものとなるので、処理槽本体（６）の内部の温度変化が少なく且つ発酵効果を向上させると共に設置穴を正確に掘らなくても良くなるため、設置工事が楽になる。また立体的な蓋本体（１）を用いると共に処理槽本体（６）の内部温度の低下が防止出来ることにより、投入口（１１）を地面より上部に出すことが可能となり、生ごみ（８）の投入が楽に行えるものとなる。特に本発明品が入られた生ごみ処理槽を寒冷地に設置すれば、設置場所を選ぶ必要がないものとなると共に冬場でも生ごみ（８）の処理が可能なものとなる。
【００１４】
請求項２のように蓋本体（１）を中央で２分割することにより、大きな処理槽本体（６）に対応出来るものとなる。また集水覆（２）が薄板で且つその下端には折曲部（２１）を形成させ、且つ水抜きパイプ（３）の上部には長穴溝（３１）を穿設し、該長穴溝（３１）に折曲部（２１）を挿入して水抜きパイプ（３）が集水覆（２）と連結されることにより、結露する水滴が集水覆（２）で効率良く集められ、且つ水抜きパイプ（３）を若干傾けてセットすることにより、集めた水が手間を掛けずに蓋本体（１）の外部へ流すことが可能となり、処理槽の内部温度が高まると共に発酵効果を高めることが可能となる。
【００１５】
請求項３に示すように集水覆（２）として薄板を用い、水滴を集め易くするために蓋本体（１）の上部から下部に渡って湾曲させて集水覆（２）を取付けると共に蓋本体（１）と集水覆（２）との隙間に保温材（４）を取付けることにより、蓋本体（１）の内面に結露する水滴が集水覆（２）で効率良く集めることができ、且つ保温材（４）によって外部と断熱させることにより、処理槽の内部温度が高まると共に発酵効果をより高めることが可能となる。特に寒冷地に於いても、結露した水滴が凍りにくいものとなり、発酵効果を維持可能にさせると共に結露した水滴が凍る心配はなくなるため、設置場所を選ばず何処にでも生ごみ処理槽の設置が可能となる。しかも寒冷地に生ごみ処理槽を設置する際、処理槽本体（６）を多少露出させても生ごみ（８）の発酵効果が極度に低下する恐れがないので、設置用穴を浅し且つ正確に掘らなくても良く、工事費を減らすことが出来るものとなる。
【００１６】
請求項４に示すように地熱を蓋本体（１）の内部に導入するための地熱取込管（７）を配管することにより、処理槽の内部へ地熱を導入させて内部温度を上げ、発酵効果をより向上させることが出来る。また本発明品を用いた生ごみ処理槽を寒冷地に設置する際、内部温度が高く維持出来ることにより、結露した水滴が凍る心配がなくなるため、何処にでも設置可能となる。更に処理槽本体（６）を多少露出させても、処理槽本体（６）の内部温度が発酵し易い温度に維持可能となるため、設置工事が楽になると共に生ごみ（８）の投入位置が、従来の如き地面すれすれの場合と比べ、投入口（１１）が地面より上部に設けることが可能となるため、生ごみ（８）の投入が楽に行えるものとなり、且つ積雪によって埋没する心配が殆どないものとなる。
【図面の簡単な説明】
【図１】本発明の実施形態の要部を示す断面図である。
【図２】本実施形態の要部部品の斜視図である。
【図３】従来品の実施形態の要部を示す断面図である。
【符号の説明】
１  蓋本体
１１  投入口
２  集水覆
２１  折曲部
３  水抜きパイプ
３１  長穴溝
４  保温材
６  処理槽本体
６１  貫通穴
７  地熱取込管
８  生ごみ
【図１】
2004351284.tif 000003
【図２】
2004351284.tif 000004
【図３】
2004351284.tif 000005